(57)【要約】【課題】凹凸形状を有する感光体を用いる場合に、帯電部材の長寿命化を図ることのできる画像形成装置を提供する。【解決手段】回転可能な感光体２と、感光体２に接触して回転可能に配置され感光体２を帯電させる帯電部材３と、感光体２にトナーを供給してトナー像を形成する現像装置４と、感光体２に当接して感光体２の表面からトナーを除去するクリーニングブレード６１と、を有する画像形成装置１００は、感光体２の表面には複数の各々独立した凹部が形成されており、帯電部材３は表面に凹凸を有し、Ｘを、トナーの体積分布基準での大きい方から累積１０％に相当する粒子径とするとき、感光体の凹部の径の平均値＞Ｘ、帯電部材の表面の凹凸の平均間隔Ｓｍ＞Ｘ、かつ、感光体の凹部の深さの平均値と帯電部材の表面の十点平均粗さＲｚとの和＞Ｘの関係を満たす構成とされる。【選択図】図１０
2015215520.tif 000002
【特許請求の範囲】
【請求項１】
回転可能な感光体と、
前記感光体に接触して回転可能に配置され前記感光体を帯電させる帯電部材と、
前記感光体にトナーを供給してトナー像を形成する現像装置と、
前記感光体に当接して前記感光体の表面からトナーを除去するクリーニングブレードと、
を有する画像形成装置において、
前記感光体の表面には複数の各々独立した凹部が形成されており、前記帯電部材は表面に凹凸を有し、Ｘを、トナーの体積分布基準での大きい方から累積１０％に相当する粒子径とするとき、
感光体の凹部の径の平均値＞Ｘ、
帯電部材の表面の凹凸の平均間隔Ｓｍ＞Ｘ、かつ、
感光体の凹部の深さの平均値と帯電部材の表面の十点平均粗さＲｚとの和＞Ｘ
の関係を満たすことを特徴とする画像形成装置。
【請求項２】
Ｙを、トナーの体積分布基準での大きい方から累積５％に相当する粒子径とするとき、
感光体の凹部の径の平均値＞Ｙ、
帯電部材の表面の凹凸の平均間隔Ｓｍ＞Ｙ、かつ、
感光体の凹部の深さの平均値と帯電部材の表面の十点平均粗さＲｚとの和＞Ｙ
の関係を満たすことを特徴とする請求項１に記載の画像形成装置。
【請求項３】
前記感光体の凹部は、深さが０．５μｍ以上、６μｍ以下、かつ、開口部最長径が２０μｍ以上、８０μｍ以下であり、前記感光体の表面の一辺が前記感光体の表面の移動方向に対して平行である一辺５００μｍの正方形領域における前記凹部の面積が７５００μｍ２以上、８８０００μｍ２以下、該領域における平坦部の面積が８１０００μｍ２以上、２４００００μｍ２以下になるように形成されていることを特徴とする請求項１又は２に記載の画像形成装置。
【発明の詳細な説明】
【技術分野】
【０００１】
本発明は、電子写真方式を用いた複写機、プリンター、ファクシミリ装置などの画像形成装置に関するものである。
【背景技術】
【０００２】
従来、電子写真方式の画像形成装置では、電子写真感光体（感光体）の表面に所定形状の型を圧接するなどして複数の凹部が形成されたものがある（特許文献１、特許文献２）。これは、例えば、次のような理由による。
【０００３】
感光体の耐久性の向上を図る目的から、感光体の表面は高硬度化される傾向にある。しかし、高硬度で表面が摩耗しにくい感光体は、耐久性は高い一方で、特に高湿度環境における画像流れなどの画像不良が発生し易い。つまり、クリーニング部材による感光体の表面のクリーニング性能を良好に維持するためには、クリーニング部材と感光体との摩擦力が適切に維持されることが望まれる。しかし、高硬度で表面が磨耗しにくい感光体では、この摩擦力が増加して、クリーニング部材の良好なクリーニング性を維持することが困難になることがある。場合によっては、クリーニング部材のビビリや捲れが生じることがある。そこで、クリーニング部材と感光体の表面との摩擦力を適切に維持することなどを目的として、感光体の表面に複数の凹部が形成される。
【０００４】
一方、電子写真方式の画像形成装置では、感光体を帯電処理する方式として、接触帯電方式が実用化されている。接触帯電方式では、帯電部材として、例えば、導電性支持体（芯金）の外周に導電性弾性体層を設け、該導電性弾性体層の外周に抵抗層を被覆して設けた帯電ローラが用いられる。この帯電ローラは、感光体に接触して回転可能なように配設され、芯金に電圧が印加される。これにより、帯電ローラと感光体との当接部である帯電ニップの近傍で微小な放電が発生し、感光体の表面が帯電処理される。
【０００５】
そして、帯電ローラと感光体との圧力を低減させ、帯電ローラの汚染を軽減するなどのために、帯電ローラの表層を凹凸形状にすることが行われている。この凹凸をつける方法としては、表層に微粒子を含有させる方法、機械的研磨により処理する方法などがある（特許文献３〜５）。
【先行技術文献】
【特許文献】
【０００６】
【特許文献１】特開２００７−２３３３５４号公報
【特許文献２】特開２０１１−２２５７８号公報
【特許文献３】特開２００５−２４６７５公報
【特許文献４】特開２００８−１５３２３公報
【特許文献５】特開２００９−３１３６６公報
【発明の概要】
【発明が解決しようとする課題】
【０００７】
上述のように表面に複数の凹部を有する感光体の凹部の形状としては、従来提案されているように様々なパターンが採用可能である。しかし、このような凹凸形状を有する感光体を用いた場合、クリーニング部材をすり抜けるトナーの量が増加する傾向がある。
【０００８】
クリーニング部材をすり抜けたトナーは、帯電ローラの表面に接触するが、通常、帯電ローラと感光体との間の電位差によって、帯電ローラには付着せずに、感光体によって搬送される。そして、現像装置に戻されたり、次の画像として感光体から被転写体に転写されたりする。
【０００９】
しかし、トナーから遊離した外添材が帯電ローラの表面の凹部に蓄積することにより、帯電ローラの汚染が促進されることがある。このように外添剤が蓄積していくと、感光体の帯電不良による画像濃度ムラなどが生じるようになる。そのため、凹凸形状を有する感光体を用いた場合、帯電ローラの寿命が短くなることがある。
【００１０】
したがって、本発明の目的は、凹凸形状を有する感光体を用いる場合に、帯電部材の長寿命化を図ることのできる画像形成装置を提供することである。
【課題を解決するための手段】
【００１１】
上記目的は本発明に係る画像形成装置にて達成される。要約すれば、本発明は、回転可能な感光体と、前記感光体に接触して回転可能に配置され前記感光体を帯電させる帯電部材と、前記感光体にトナーを供給してトナー像を形成する現像装置と、前記感光体に当接して前記感光体の表面からトナーを除去するクリーニングブレードと、を有する画像形成装置において、前記感光体の表面には複数の各々独立した凹部が形成されており、前記帯電部材は表面に凹凸を有し、Ｘを、トナーの体積分布基準での大きい方から累積１０％に相当する粒子径とするとき、感光体の凹部の径の平均値＞Ｘ、帯電部材の表面の凹凸の平均間隔Ｓｍ＞Ｘ、かつ、感光体の凹部の深さの平均値と帯電部材の表面の十点平均粗さＲｚとの和＞Ｘの関係を満たすことを特徴とする画像形成装置である。
【発明の効果】
【００１２】
本発明によれば、凹凸形状を有する感光体を用いる場合に、帯電部材の長寿命化を図ることができる。
【図面の簡単な説明】
【００１３】
【図１】画像形成装置の一実施例の模式的な断面図である。
【図２】感光体と帯電ローラの層構成を示す模式的な断面図である。
【図３】帯電ローラに対する帯電バイアス印加系のブロック回路図である。
【図４】感光体の基準面、平坦部、凹部を説明するための模式図である。
【図５】感光体の凹部を特定する領域を説明するための模式図である。
【図６】感光体の表面の凹部の開口部の形状の例を示す模式図である。
【図７】感光体の表面の凹部の断面形状の例を示す模式図である。
【図８】感光体の表面の凹部を形成するための圧接形状転写加工装置の例を示す模式図である。
【図９】感光体の表面の凹部を形成するための圧接形状転写加工装置に設置されるモールド形状の例を示す模式図である。
【図１０】本発明の一実施例における帯電ニップでのトナー及び外添剤の動きを示す模式図である。
【図１１】比較例における帯電ニップでのトナー及び外添剤の動きを示す模式図である。
【図１２】感光体の表面の凹部の開口部の形状の例を示す模式図である。
【発明を実施するための形態】
【００１４】
以下、本発明に係る画像形成装置を図面に則して更に詳しく説明する。
【００１５】
実施例１
１．画像形成装置の全体的な構成及び動作
図１は、本実施例に係る画像形成装置１００の模式的な断面図である。本実施例の画像形成装置１００は、電子写真方式を利用してフルカラー画像を形成することのできる、中間転写方式を採用したタンデム型のレーザービームプリンターである。画像形成装置１００は、その装置本体に接続された機器からの画像信号に応じて、フルカラーの記録画像を転写材（記録用紙、プラスチックフィルム、布など）に形成することができる。上記機器としては、原稿読み取り装置、パーソナルコンピュータなどのホスト機器、デジタルカメラなどの外部機器が挙げられる。
【００１６】
画像形成装置１００は、イエロー（Ｙ）、マゼンタ（Ｍ）、シアン（Ｃ）、ブラック（Ｂｋ）の４色に対応して設けられた４つの画像形成部（第１、第２、第３、第４の画像形成部）１Ｙ、１Ｍ、１Ｃ、１Ｂｋを有する。本実施例では、各画像形成部１Ｙ、１Ｍ、１Ｃ、１Ｂｋの構成及び動作は、使用するトナーの色が異なることを除いて実質的に同じである。したがって、以下、特に区別を要しない場合は、いずれかの色用に設けられた要素であることを表す符号の末尾のＹ、Ｍ、Ｃ、Ｂｋは省略して、当該要素について総括的に説明する。
【００１７】
画像形成部１には、像担持体として電子写真感光体（感光体）２が設けられている。本実施例では、感光体２は、回転可能なドラム型（円筒形）の感光ドラム（回転体）として構成されている。感光体２は、図中矢印Ｒ１方向に、所定の周速度（プロセススピード）で回転駆動される。感光体２の周囲には、その回転方向に沿って順に、次の各手段が配置されている。まず、帯電手段としての回転可能なローラ状の帯電部材である帯電ローラ（回転体）３が配置されている。次に、感光体２の図中上方において、露光手段としての露光装置（レーザースキャナ）７が配置されている。次に、現像手段としての現像装置４が配置されている。次に、一次転写手段としてのローラ状の一次転写部材である一次転写ローラ５が配置されている。次に、感光体クリーニング手段としての感光体クリーニング装置６が配置されている。
【００１８】
また、画像形成装置１００には、各画像形成部１の感光体２と対向するようにして、中間転写体としての中間転写ベルト８が配置されている。中間転写ベルト８は、複数の張架ローラ（支持ローラ）である駆動ローラ９、二次転写対向ローラ１０及びテンションローラ１１に所定の張力をもって掛け回されており、駆動ローラ９に伝達される駆動力により図中矢印Ｒ２方向に回転（周回移動）する。中間転写ベルト８の内周面側において、各感光体２と対向する位置には、上記一次転写ローラ５が配置されている。一次転写ローラ５が中間転写ベルト８を介して感光体２に対して付勢（押圧）されることで、中間転写ベルト８と感光体２とが接触する一次転写部（一次転写ニップ）Ｎ１が形成されている。また、中間転写ベルト８の外周面側において、二次転写対向ローラ１０と対向する位置には、二次転写手段としてのローラ状の二次転写部材である二次転写ローラ１２が配置されている。二次転写ローラ１２が中間転写ベルト８を介して二次転写対向ローラ１０に対して付勢（押圧）されることで、二次転写ローラ１２と中間転写ベルト８とが接触する二次転写部（二次転写ニップ）Ｎ２が形成されている。また、中間転写ベルト８の外周面側において、テンションローラ１１と対向する位置には、中間転写体クリーニング手段としてのベルトクリーニング装置１５が配置されている。
【００１９】
画像形成動作が開始されると、回転する感光体２の表面が、帯電ローラ３によって一様に帯電される。このとき、帯電ローラ３には、帯電電圧印加手段としての帯電電源（高圧電源）Ｓ１（図３）より、所定の帯電バイアス（帯電高圧）が印加される。帯電された感光体２の表面は、各画像形成部１に対応する分解色の画像信号（画像情報）に従って露光装置７から発されたレーザー光により走査露光される。これにより、感光体２上に、各画像形成部１に対応する画像信号に応じた静電像（静電潜像）が形成される。感光体２上に形成された静電像は、現像装置４によってトナー像として現像される。
【００２０】
なお、本実施例では、現像方式として反転現像方式が採用されている。すなわち、一様に帯電された後に露光されることで電位の絶対値が低下した感光体２上の露光部（明部電位部）に、感光体２の帯電極性と同極性に帯電したトナーを付着させることでトナー像が形成される。また、本実施例では、現像剤として主に非磁性トナー粒子（トナー）と磁性キャリア粒子（キャリア）とを有する二成分現像剤を用いる、二成分現像方式が採用されている。現像装置４には、現像剤を感光体２との対向部（現像位置）に搬送するための現像剤担持体としての現像スリーブが設けられている。現像時に、現像スリーブには、現像電圧印加手段としての現像電源（図示せず）により、直流電圧と交流電圧とが重畳された現像バイアスが印加される。また、現像装置４において現像によって消費した分に相当するトナーが、図示しない補給装置から現像装置４に適宜補給されるようになっている。本実施例では、現像時のトナーの意図された帯電極性（正規の帯電極性）は負極性である。
【００２１】
感光体２上に形成されたトナー像は、一次転写部Ｎ１において、一次転写ローラ５の作用により、中間転写ベルト８上に転写（一次転写）される。このとき、一次転写ローラ５には、一次転写電圧印加手段としての一次転写電源（図示せず）より、トナーの正規の帯電極性とは逆極性の直流電圧である一次転写バイアスが印加される。
【００２２】
例えば、フルカラー画像の形成時には、各画像形成部１Ｙ、１Ｍ、１Ｃ、１Ｂｋの各感光体２上に形成されたトナー像が、各一次転写部Ｎ１において、順次に重ね合わせるようにして中間転写ベルト８上に転写（一次転写）される。こうして、中間転写ベルト８上に、４色のトナー像が重ね合わされた多重トナー像が形成される。
【００２３】
一次転写後に感光体２の表面に残ったトナー（一次転写残トナー）は、感光体クリーニング装置６によって感光体２上から除去されて回収される。感光体クリーニング装置６は、感光体２の表面に当接するようにして配置された感光体クリーニング部材としてのクリーニングブレード６１と、クリーニング容器６２と、を有する。クリーニングブレード６１は、ウレタンゴムなどの弾性材料で形成された、感光体２の長手方向（回転軸線方向）に沿って延在する板状部材である。このクリーニングブレード６１は、カウンター方向、すなわち、その自由端側の先端が感光体２の回転方向（表面の移動方向）の上流を向くように感光体２の表面に当接されている。そして、クリーニングブレード６１は、回転する感光体２の表面を摺擦して、感光体２の表面の一次転写残トナーなどの付着物を、感光体２の表面から物理的に掻き取る。
【００２４】
一方、中間転写ベルト８上のトナー像の移動とタイミングに合わせて、転写材収納カセット（図示せず）に収容された転写材Ｐが、供給ローラ１３などによって二次転写部Ｎ２に搬送される。そして、中間転写ベルト８上の例えば上述のような多重トナー像は、二次転写部Ｎ２において、二次転写ローラ１２の作用により、転写材Ｐ上に一括して転写（二次転写）される。このとき、二次転写ローラ１２には、二次転写電圧印加手段としての二次転写電源（図示せず）より、トナーの正規の帯電極性とは逆極性の直流電圧である二次転写バイアスが印加される。
【００２５】
トナー像が転写された転写材Ｐは、定着手段としての定着装置１４へと搬送部材などにより搬送される。転写材Ｐ上の例えば上述のような多重トナー像は、定着装置１４によって加熱、加圧されることで溶融、混合されて転写材Ｐに定着され、フルカラーの記録画像となる。その後、転写材Ｐは画像形成装置１００の装置本体の外部に排出される。
【００２６】
また、二次転写後に中間転写ベルト８に残ったトナー（二次転写残トナー）は、ベルトクリーニング装置１５によって中間転写ベルト８上から除去されて回収される。
【００２７】
なお、例えばブラックの単色画像形成時には、第４の画像形成部１Ｂｋにおいてのみ感光体２Ｂｋ上にトナー像が形成される。そして、このトナー像が中間転写ベルト８に一次転写された後、転写材Ｐに二次転写される。
【００２８】
２．現像剤
トナーは、結着樹脂、着色剤、そして必要に応じてその他の添加剤を含む着色樹脂粒子に、コロイダルシリカ微粉末のような外添剤が外添されて構成されている。本実施例では、トナーは、重合法により製造した負帯電性のポリエステル系樹脂である。トナーの体積平均粒径は５μｍ以上、８μｍ以下が好ましい。また、外添剤の体積平均粒径は、通常、トナーの体積平均粒径よりも小さく、１．０μｍ以下が好ましい。なお、トナー等の体積平均粒径は、以下に示す装置及び方法にて測定することができる。測定装置としては、コールターカウンターＴＡ−ＩＩ型（コールター社製）、個数平均分布、体積平均分布を出力するためのインターフェース（日科機製）、及びＣＸ−Ｉパーソナルコンピュータ（キヤノン製）を使用することができる。一例として、トナーの体積平均粒径の測定方法は、次のとおりである。電解水溶液として、一級塩化ナトリウムを用いて調製した１％ＮａＣｌ水溶液を使用する。電解水溶液１００〜１５０ｍｌ中に分散剤として界面活性剤としてアルキルベンゼンスルホン酸塩を０．１ｍｌ加え、測定試料を０．５〜５０ｍｇ加える。試料を懸濁した電解水溶液は、超音波分散器を用いて約１〜３分間の分散処理を行なう。その後、上記のコールターカウンターＴＡ−ＩＩ型により、アパーチャーとして１００μｍアパーチャーを用いて２〜４０μｍの粒子の粒度分布を測定して体積平均分布を求める。求めた体積平均分布より、体積平均粒径を得る。本実施例で用いたトナーの体積平均粒径は、一例として、６．２μｍである。
【００２９】
また、キャリアは、例えば、表面酸化あるいは未酸化の鉄、ニッケル、コバルト、マンガン、クロム、希土類などの金属、及びそれらの合金、又は酸化物フェライトなどが好適に使用可能である。これらの磁性粒子の製造法は特に制限されない。そして、キャリアは、重量平均粒径が２０〜５０μｍ、好ましくは３０〜４０μｍであり、抵抗率が１０７Ω・ｃｍ以上、好ましくは１０８Ω・ｃｍ以上である。本実施例では、キャリアとして抵抗率が１０８Ω・ｃｍのものを用いた。また、本実施例では、低比重磁性キャリアとして、フェノール系のバインダー樹脂に磁性金属酸化物及び非磁性金属酸化物を所定の比で混合し、重合法により製造した、樹脂磁性キャリアを使用した。本実施例で用いたキャリアの体積平均粒径は３５μｍ、真密度は３．６〜３．７ｇ／ｃｍ３、磁化量は５３Ａ・ｍ２／ｋｇである。
【００３０】
３．帯電装置
次に、帯電装置について更に詳しく説明する。図２は、本実施例における帯電装置３０の概略構成を示す模式的な断面図であり、帯電ローラ３の層構成が示されている。
【００３１】
帯電装置３０は、帯電部材としての帯電ローラ３、帯電電源Ｓ１などを有して構成される。帯電ローラ３は、詳しくは後述するように、感光体２に接触して感光体２の回転に従動して回転するゴムローラで構成されている。
【００３２】
本実施例では、帯電ローラ３の長手方向（回転軸線方向）の長さは３２０ｍｍである。帯電ローラ３は、芯金（支持部材）３ａの上（外周）に、下層３ｂと、中間層３ｃと、表層３ｄとを、下から順に積層した層構成を有する。下層３ｂは帯電音を低減するための発泡スポンジ層であり、表層３ｄは、感光体２上にピンホールなどの欠陥があってもリークが発生するのを防止するために設けられている保護層である。
【００３３】
より具体的には、本実施例における帯電ローラ３の仕様は、次の通りである。
芯金３ａ：直径６ｍｍのステンレス丸棒
下層３ｂ：カーボン分散の発泡ＥＰＤＭ、比重０．５ｇ／ｃｍ３、体積抵抗値１０２〜１０９Ωｃｍ、層厚３．０ｍｍ
中間層３ｃ：カーボン分散のＮＢＲ系ゴム、体積抵抗値１０２〜１０５Ωｃｍ、層厚７００μｍ
表層３ｄ：フッ素化合物のトレジン樹脂に酸化錫とカーボンを分散、体積抵抗値１０７〜１０１０Ωｃｍ、層厚１０μｍ
【００３４】
なお、帯電ローラ３の表面粗さ（ＪＩＳ規格（ＪＩＳ−Ｂ０６０１：１９９４）の十点平均粗さＲｚ、凹凸の平均間隔Ｓｍ）は、感光体２に対する圧力を低減するなどの観点から、次のように設定することが好ましい。十点平均粗さＲｚは３〜５０μｍ程度、凹凸の平均間隔Ｓｍは１０〜５００μｍ程度である。帯電ローラ３の表面の凹凸は、前述のように表層に微粒子を含有させる方法、機械的研磨により処理する方法などによって形成することができる。
【００３５】
また、本実施例では、帯電装置３０は、画像形成装置１００は、帯電ローラ３に接触して帯電ローラ３の表面の付着物を除去する帯電部材クリーニング部材３ｆを有している。帯電部材クリーニング部材３ｆとしては、可撓性を有するフィルムや、フェルトやスポンジといった弾性部材を好適に用いることができる。
【００３６】
図３は、帯電ローラ３に対する帯電バイアス印加系のブロック回路図である。本実施例では、帯電電源Ｓ１から、直流電圧Ｖｄｃに、周波数ｆの交流電圧Ｖａｃを重畳した所定の振動電圧（帯電バイアス電圧Ｖｄｃ＋Ｖａｃ）が、芯金３ａを介して、帯電ローラ３に印加される。これにより、回転する感光体２の周面が、所定の電位に帯電処理される。より詳細には、帯電ローラ３は、帯電バイアスが印加されることによって、帯電ローラ３と感光体２との接触部（帯電ニップ）Ｎ３の近傍の帯電ローラ３と感光体２との間隙で生じる微小な放電によって、感光体２の表面を帯電させる。交流電圧Ｖａｃの周波数ｆは、通常、１〜３ｋＨｚ程度である。
【００３７】
図３に示すように、帯電ローラ３に対する電圧印加手段である帯電電源Ｓ１は、直流（ＤＣ）電源３１と交流（ＡＣ）電源３２とを有している。制御手段としての制御回路（制御部）４１は、帯電電源Ｓ１のＤＣ電源３１とＡＣ電源３２とをオン・オフ制御して、帯電ローラ３に直流電圧と交流電圧との重畳電圧を印加するように制御する機能を有する。また、制御回路４１は、ＤＣ電源３１から帯電ローラ３に印加する直流電圧値と、ＡＣ電源３２から帯電ローラ３に印加する交流電圧のピーク間電圧値又は交流電流値とを制御する機能を有する。制御回路４１は、ＲＯＭ４２に記憶されたプログラムやデータ、電流検知回路４３又は４４の検知結果、画像形成枚数カウンター４５の計数結果、環境センサー４６の検知結果などに従って上記制御を行うことができる。その詳細な制御方法については、本発明においては利用可能なものを任意に用いることができるので、これ以上の説明は省略する。
【００３８】
なお、本実施例では、感光体２と帯電ローラ３とは、プロセスカートリッジとして一体的にユニット化されて、画像形成装置１００の装置本体に対して着脱可能に構成されている。そして、規定枚数の画像形成により感光体２が寿命に達した場合などに容易に交換することができる。プロセスカートリッジには更に、現像装置４、感光体クリーニング装置６のいずれか又は両方が一体的にユニット化されていてよい。
【００３９】
４．感光体
次に、感光体について更に詳しく説明する。図２には、本実施例における感光体２の層構成が示されている。
【００４０】
本実施例では、感光体２は、機能分離された複数層からなるＯＰＣ（有機光導電体）感光層を有するＯＰＣ感光体である。本実施例では、感光体２は、支持体２ａの上（外周）に、導電層２ｂと、下引き層２ｃと、電荷発生層２ｄと、電荷輸送層２ｅと、保護層２ｆとを、下から順に積層した層構成を有する。なお、支持体２ａ上の各層の全体を総称して感光層２ｇともいう。
【００４１】
そして、本実施例では、感光体２の表面には、複数の各々独立した凹部が形成されている。なお、本発明は、感光体２の表面に形成される凹部の具体的な態様については任意であり、様々な態様の凹部を備えた感光体２を有する画像形成装置１００に適用できる。以下に説明する感光体２の表面の凹部の態様は、好ましい一実施例を示すものであって、凹部の態様は以下のものに限定されるものではない。
【００４２】
本実施例では、開口部最長径（長軸径）の比較的大きな凹部が、感光体２の表面に設けられている。また、本実施例では、この凹部の面積率は比較的少ない。さらに、本実施例では、表面層と表面層の直下の層との間の界面に表面層の表面に形成されている凹部に対応する凹部が複数形成されている。
【００４３】
すなわち、表面の凹部の態様を次のようにすることで、特に、画像流れの抑制効果が飛躍的に向上することがわかった。まず、開口部最長径の大きな凹部を感光体２の表面に疎に配置し、かつ、凹部以外の部分の中でも特に平坦部の面積を多くとることである。さらに、表面層と表面層の直下の層との間の界面に表面層の表面に形成されている凹部に対応する凹部が複数形成されていることである。
【００４４】
凹部を疎に配置することにより、感光体２側からクリーニングブレード６１のビビリを適度に抑制し、安定的で高い摺擦状態を作り出すとともに、凹部へのクリーニングブレード６１の圧力を低減することで、他の部分への圧力が増す。そして、圧力が増す非凹部の中でも、効率的な感光体２の表面のリフレッシュが行いやすい平坦部が多くなることで、更に、感光体２の表面に付着する画像流れの原因物質の除去が行われやすいような表面状態を形成できる。加えて、表面層の直下の層に表面層に形成された凹部に対応する凹部を形成することで、表面層に伝わるクリーニングブレード６１の圧力、摺擦の効果を、分散せずに平坦部に伝えることができるため、更に効果を高めることが可能となる。このようなメカニズムにより、上述のような態様の凹部を表面に有する感光体２は、画像流れの抑制効果を飛躍的に向上させていると考えられる。
【００４５】
なお、表面層の直下の層に表面層に形成された凹部に対応する凹部が形成されていない場合には、次のようになるものと考えられる。すなわち、凹部の効果によって他の部分の圧力が増す分を、表面層の直下の層が均一であるために再度凹部方向へと分散してしまい、非凹部、特に平坦部に効果的に伝えにくくなるため、効果が得にくくなる。
【００４６】
具体的には、本実施例の感光体２の表面には、深さ０．５μｍ以上、６μｍ以下、かつ、開口部最長径２０μｍ以上、８０μｍ以下の凹部（以下「特定凹部」ともいう。）が設けられる。その際、表面層と表面層の直下の層との間の界面に表面層に形成されている特定凹部に対応する凹部が複数設けられている。そして、特定凹部は、次のような面積率で設けられている。すなわち、感光体２の表面の任意の位置に一辺が感光体２の回転方向に対して平行である一辺５００μｍの正方形領域を配置したとする。このとき、特定凹部は、その一辺５００μｍの正方形領域における特定凹部の面積が７５００μｍ２以上、８８０００μｍ２以下になるように、感光体２の表面に設けられている。
【００４７】
なお、感光体の回転方向（表面の移動方向）とは、感光体が円筒状やベルト（エンドレスベルト）状のものである場合、周方向と同義である。また、深さ、開口部最長径の定義については後述する。
【００４８】
また、感光体２の表面には、特定凹部に加えて平坦部が設けられている。そして、平坦部は、次のような面積率で設けられている。すなわち、感光体２の表面の任意の位置に一辺が感光体２の回転方向に対して平行である一辺５００μｍの正方形領域を配置したとする。このとき、平坦部は、その一辺５００μｍの正方形領域における平坦部の面積が８１０００μｍ２以上、２４００００μｍ２以下になるように、感光体２の表面に設けられている。
【００４９】
感光体２の表面の特定凹部や平坦部などは、例えば、レーザー顕微鏡、光学顕微鏡、電子顕微鏡、原子力間顕微鏡などの顕微鏡を用いて観察することができる。
【００５０】
レーザー顕微鏡としては、例えば、以下の機器が利用可能である。（株）キーエンス製の超深度形状測定顕微鏡ＶＫ−８５５０、超深度形状測定顕微鏡ＶＫ−９０００、超深度形状測定顕微鏡ＶＫ−９５００、ＶＫ−Ｘ２００；（株）菱化システム製の表面形状測定システムＳｕｒｆａｃｅ  Ｅｘｐｌｏｒｅｒ  ＳＸ−５２０ＤＲ型機；オリンパス（株）製の走査型共焦点レーザー顕微鏡ＯＬＳ３０００；レーザーテック（株）製のリアルカラーコンフォーカル顕微鏡オプリテクスＣ１３０。
【００５１】
光学顕微鏡としては、例えば、以下の機器が利用可能である。（株）キーエンス製のデジタルマイクロスコープＶＨＸ−５００、デジタルマイクロスコープＶＨＸ−２００；オムロン（株）製の３ＤデジタルマイクロスコープＶＣ−７７００。
【００５２】
電子顕微鏡としては、例えば、以下の機器が利用可能である。（株）キーエンス製の３Ｄリアルサーフェスビュー顕微鏡ＶＥ−９８００、３Ｄリアルサーフェスビュー顕微鏡ＶＥ−８８００；エスアイアイ・ナノテクノロジー（株）製の走査型電子顕微鏡コンベンショナル／Ｖａｒｉａｂｌｅ  Ｐｒｅｓｓｕｒｅ  ＳＥＭ；（株）島津製作所製の走査型電子顕微鏡ＳＵＰＥＲＳＣＡＮ  ＳＳ−５５０。
【００５３】
原子力間顕微鏡としては、例えば、以下の機器が利用可能である。（株）キーエンス製のナノスケールハイブリッド顕微鏡ＶＮ−８０００；エスアイアイ・ナノテクノロジー（株）製の走査型プローブ顕微鏡ＮａｎｏＮａｖｉステーション；（株）島津製作所製の走査型プローブ顕微鏡ＳＰＭ−９６００。
【００５４】
上記一辺５００μｍの正方形領域の観察は、一辺５００μｍの正方形領域が収まるような倍率で行ってもよいし、より高い倍率で部分的な観察を行った後、ソフトを用いて複数の部分画像を連結するようにしてもよい。
【００５５】
ここで、図４、図５を参照して、一辺５００μｍの正方形領域における特定凹部及び平坦部の定義などについて説明する。まず、感光体２の表面を顕微鏡などで拡大観察する。感光体２の表面の感光体２の回転方向の面が曲面である場合は、その曲面の断面プロファイルを抽出し、曲線をフィッティングする。その曲線が直線になるように上記断面プロファイルの補正を行い、得られた直線を感光体２の長手方向（回転軸線方向）に拡張した面を基準面とする。そして、得られた基準面から高低差±０．２μｍ以内の領域を、上記一辺５００μｍの正方形領域における平坦部とする。また、平坦部よりも下に位置するものを凹部とする。深さ及び開口部最長径に関しては、平坦部から凹部の底面までの最大の距離を凹部の深さＨとし、平坦部による凹部の断面を凹部の開口部とし、開口部を横切る線分のうち、最も長い線分の長さを凹部の開口部最長径Ｄとする。具体的には、開口部最長径Ｄは、図６に示すように、開口部の端部に接する平行な２本の直線で凹部を挟んだ際に、該２本の直線間の距離が最大となるときの長さを示す。
【００５６】
上記一辺５００μｍの正方形領域における凹部のうち、上述のようにして求めた深さが０．５μｍ以上、６μｍ以下の範囲にあり、開口部最長径が２０μｍ以上、８０μｍ以下の範囲にあるものが、上記一辺５００μｍの正方形領域における特定凹部に該当する。
【００５７】
図４（Ａ）は、基準面、平坦部、凹部の関係を模式的に示している。また、図４（Ｂ）は、基準面、非凹部かつ平坦部以外の部分の関係を模式的に示している。図５は、感光体２の表面上の一辺５００μｍの正方形領域の例を示したものである。
【００５８】
特定凹部の開口部の形状（凹部を真上から見たときの形状）の例を、図６（Ａ）〜（Ｇ）に示す。また、特定凹部の断面形状の例を、図７（Ａ）〜（Ｆ）に示す。図６（Ａ）〜（Ｇ）及び図７（Ａ）〜（Ｆ）において、Ｄは、特定凹部の開口部最長径を表し、Ｈは、特定凹部の深さを表す。特定凹部の開口部の形状としては、例えば、図６（Ａ）〜（Ｇ）に示す円、楕円、あるいは正方形、長方形、三角形、四角形、五角形、六角形といった多角形などが挙げられる。また、特定凹部の断面形状としては、例えば、図７（Ａ）〜（Ｆ）に示す三角形、四角形といった多角形などのエッジを有するものや、連続した曲線からなる波型や、三角形、四角形といった多角形のエッジの一部又は全部を曲線に変形したものなどが挙げられる。感光体２の表面に設けられる複数の特定凹部は、すべてが同一の形状、大きさ、深さであってもよいし、異なる形状、大きさ、深さのものが混在していてもよい。
【００５９】
なお、非凹部の平坦部以外の部分の高さについては、凹部の深さよりも小さいことが好ましく、凹部の深さの１／３以下の高さであることがより好ましい。
【００６０】
次に、感光体２の表面の形成方法について説明する。図８（Ａ）、（Ｂ）は、感光体２の表面に複数の凹部を形成するための、モールド（型）２０１を有する圧接形状転写加工装置（以下、単に「加工装置」ともいう。）２００の例を示す模式図である。図８（Ａ）、（Ｂ）に示す加工装置２００によれば、感光体２を回転させながら、その表面（周面）に連続的にモールド２０１を接触させ、加圧することにより、感光体２の表面に凹部や平坦部を形成することができる。
【００６１】
加圧部材２０２の材質としては、例えば、金属、金属酸化物、プラスチック、ガラスなどが挙げられる。これらの中でも、機械的強度、寸法精度、耐久性の観点から、ステンレス鋼（ＳＵＳ）が好ましい。加圧部材２０２は、その上面にモールド２０１が設置される。また、下面側の支持部材（図示せず）及び加圧システム（図示せず）により、支持部材２０３に支持された感光体２の表面に、モールド２０１を所定の圧力で接触させることができる。また、支持部材２０３を加圧部材２０２に対して所定の圧力で押し付けてもよいし、支持部材２０３及び加圧部材２０２を互いに押し付けてもよい。
【００６２】
ここで、図８に示す例は、加圧部材２０２を移動させることにより、感光体２を従動回転させるか又は駆動回転させながら、その表面を連続的に加工する例である。代わりに、支持部材２０３を移動させることにより、又は、支持部材２０３及び加圧部材２０２の両者を移動させることにより、感光体２の表面を連続的に加工することもできる。
【００６３】
なお、形状の転写を効率的に行う観点から、モールド２０１や感光体２を加熱することが好ましい。
【００６４】
モールド２０１としては、例えば、次のようなものが挙げられる。すなわち、微細な表面加工された金属や樹脂フィルム、シリコンウエハーなどの表面にレジストによりパターニングをしたもの、微粒子が分散された樹脂フィルム、又は微細な表面形状を有する樹脂フィルムに金属コーティングを施したものなどである。
【００６５】
なお、感光体２に対する圧力を均一にする観点から、モールド２０１と加圧部材２０２との間に弾性体を設置することが好ましい。
【００６６】
５．感光体の具体例
以下、具体的な感光体の製造例を示す。なお、実施例中の「部」は「質量部」を意味する。
【００６７】
＜感光体製造例＞
直径３０．７ｍｍ、長さ３７０ｍｍのアルミニウムシリンダーを支持体（円筒状支持体）とした。
【００６８】
次に、酸化スズで被覆されている硫酸バリウム粒子（商品名：パストランＰＣ１、三井金属鉱業（株）製）６０部、酸化チタン粒子（商品名：ＴＩＴＡＮＩＸ  ＪＲ、テイカ（株）製）１５部、レゾール型フェノール樹脂（商品名：フェノライト  Ｊ−３２５、大日本インキ化学工業（株）製、固形分７０質量％）４３部、シリコーンオイル（商品名：ＳＨ２８ＰＡ、東レシリコーン（株）製）０．０１５部、シリコーン樹脂粒子（商品名：トスパール１２０、東芝シリコーン（株）製）３．６部、２−メトキシ−１−プロパノール５０部、及びメタノール５０部を、ボールミルに入れ、２０時間分散処理することによって、導電層用塗布液を調製した。この導電層用塗布液を支持体上に浸漬塗布し、得られた塗膜を１時間１４０℃で加熱し、硬化させることによって、膜厚１５μｍの導電層を形成した。
【００６９】
次に、共重合ナイロン樹脂（商品名：アミランＣＭ８０００、東レ（株）製）１０部、及びメトキシメチル化６ナイロン樹脂（商品名：トレジンＥＦ−３０Ｔ、帝国化学（株）製）３０部を、メタノール４００部／ｎ−ブタノール２００部の混合溶剤に溶解させることによって、下引き層用塗布液を調製した。この下引き層用塗布液を導電層上に浸漬塗布し、得られた塗膜を３０分間１００℃で乾燥させることによって、膜厚０．４５μｍの下引き層を形成した。
【００７０】
次に、ＣｕＫα特性Ｘ線回折におけるブラッグ角２θ±０．２°の７．４°及び２８．２°に強いピークを有する結晶形のヒドロキシガリウムフタロシアニン結晶（電荷発生物質）２０部、下記構造式（１）で示されるカリックスアレーン化合物０．２部、ポリビニルブチラール（商品名：エスレックＢＸ−１、積水化学工業（株）製）１０部、及びシクロヘキサノン６００部を、直径１ｍｍガラスビーズを用いたサンドミルに入れ、４時間分散処理した後、酢酸エチル７００部を加えることによって、電荷発生層用塗布液を調製した。この電荷発生層用塗布液を電荷輸送層上に浸漬塗布し、得られた塗膜を１５分間８０℃で乾燥させることによって、膜厚０．１７μｍの電荷発生層を形成した。
【００７１】
【化１】
2015215520.tif 000003
【００７２】
次に、下記構造式（２）で示される化合物（電荷輸送物質（正孔輸送性化合物））７０部、及びポリカーボネート（商品名：ユーピロンＺ４００、三菱エンジニアリングプラスチックス（株）製、ビスフェノールＺ型のポリカーボネート）１００部を、モノクロロベンゼン６００部／ジメトキシメタン２００部の混合溶剤に溶解させることによって、電荷輸送層用塗布液を調製した。この電荷輸送層用塗布液を電荷発生層上に浸漬塗布し、得られた塗膜を３０分間１００℃で乾燥させることによって、膜厚１５μｍの電荷輸送層を形成した。
【００７３】
【化２】
2015215520.tif 000004
【００７４】
次に、１，１，２，２，３，３，４−ヘプタフルオロシクロペンタン（商品名：ゼオローラーＨ、日本ゼオン（株）製）２０部／１−プロパノール２０部の混合溶剤をポリフロンフィルター（商品名ＰＦ−０４０、アドバンテック東洋（株）製）で濾過した。その後、下記構造式（３）で示される正孔輸送性化合物９０部、１，１，２，２，３，３，４−ヘプタフルオロシクロペンタン７０部、及び１−プロパノール７０部を混合溶剤に加えた。これをポリフロンフィルター（商品名：ＰＦ−０２０、アドバンテック東洋（株）製）で濾過することによって、第二電荷輸送層（保護層）用塗布液を調製した。この第二電荷輸送層用塗布液を電荷輸送層上に浸漬塗布し、得られた塗膜を大気中において１０分間５０℃で乾燥させた。その後、窒素中において加速電圧１５０ｋＶ、ビーム電流３．０ｍＡの条件で支持体を２００ｒｐｍで回転させながら、１．６秒間電子線を塗膜に照射した。引き続いて、窒素中において２５℃から１２５℃まで３０秒かけて昇温させ、塗膜の加熱硬化反応を行った。なお、このときの電子線の吸収線量を測定したところ、１５ｋＧｙであった。また、電子線照射及びその後の加熱硬化反応時の雰囲気の酸素濃度は１５ｐｐｍ以下であった。次に、大気中において２５℃まで塗膜を自然冷却し、大気中において３０分間１００℃で加熱処理を行うことによって、膜厚５μｍの第二電荷輸送層（保護層）を形成した。
【００７５】
【化３】
2015215520.tif 000005
【００７６】
このようにして、表面に凹部を形成する前の感光体２を作製した。
【００７７】
＜モールド圧接形状転写による凹部の形成＞
図８に示す加工装置２００に、図９（Ａ）、（Ｂ）に示すようなモールド２０１（例えば、最長径ｄ：５０μｍ、間隔ｉ１及びｉ２：５０μｍ、高さｈ：２．０μｍのドーム型形状）を設置する。そして、上述のようにして作製した表面に凹部を形成する前の感光体２に対して表面加工を行った。本実施例では、感光体２の外周の法線方向に見た凹部の形状は略円形である。
【００７８】
加工時には、感光体２の表面の温度が１１０℃になるように、感光体２及びモールド２０１の温度を制御し、３．０ＭＰａの圧力で感光体２と加圧部材２０２とを押し付けながら、感光体２を周方向に回転させて、感光体２の表面に凹部を形成した。このようにして、表面に凹部を有する感光体２を作製した。
【００７９】
６．感光体の凹部と帯電ローラの凹部との関係
次に、感光体２の表面の凹部と帯電ローラ３の表面の凹部との関係について説明する。
【００８０】
本実施例では、表面に複数の凹部が形成され画像流れなどに強い感光体２と、表面に凹凸を有する帯電ローラ３とを組み合わせた構成とされている。前述のように、このような構成とされている場合、クリーニングブレード６１をすり抜けて帯電ニップＮ３に至るトナーの量が多くなり、帯電ローラ３の凹部にトナーの外添剤が蓄積して、帯電ローラ３の寿命が短くなることがある。
【００８１】
これに対し、本発明者は、感光体２の表面の凹凸と、帯電ローラ３の表面の凹凸との関係を、概略、次のような関係とすることで、上述のような帯電ローラ３の凹部への外添剤の蓄積を抑制できることを見出した。まず、感光体２の凹部の径をトナーの粒子径よりも大きくする。また、帯電ローラ３の凹部が感光体２の凹部に対向し易くする。また、感光体２の凹部の深さと帯電ローラ３の凹部の深さとの和をトナーの粒子径よりも大きくする。このような関係を満たすことで、帯電ローラ３の凹部に付着した外添剤を、帯電ニップＮ３に供給されたトナーに付着（転着）させて、そのトナーと一緒に電界により感光体２上に吐き出させ易くなる。
【００８２】
更に説明すると、図１０は、上述のような関係を満たす場合の帯電ニップＮ３におけるトナー及び外添剤の動きを模式的に示している。この場合、トナーが帯電ローラ３の凹部に一旦擦り込まれて外添剤を捕捉し、その後感光体２の凹部と帯電ローラ３の凹部との隙間によってトナーが帯電ローラ３の凹部側に機械的に押し付けられずに電界によって感光体２の凹部側に吐き出される。
【００８３】
これに対して、図１１（ａ）は、帯電ローラ３の凹部に感光体２の凹部が対向していない場合の帯電ニップＮ３におけるトナー及び外添剤の動きを模式的に示している。この場合、トナーが帯電ローラ３の凹部に擦り込まれて外添剤を捕捉した後、そのトナーは帯電ニップＮ３内で帯電ローラ３の凹部側に機械的に押し付けられる。そのため、帯電ローラ３の凹部に付着した外添剤をトナーに付着させて感光体２に吐き出す作用が弱くなる。
【００８４】
また、図１１（ｂ）は、感光体２の凹部の径がトナーの粒子径よりも小さい場合の帯電ニップＮ３におけるトナー及び外添剤の動きを模式的に示している。さらに、図１１（ｃ）は、感光体２の凹部の深さと帯電ローラ３の凹部の深さとの和がトナーの粒子径よりも小さい場合の帯電ニップＮ３におけるトナー及び外添剤の動きを模式的に示している。これらの場合も、帯電ローラ３の凹部に擦り込まれて外添剤を捕捉したトナーは、帯電ニップＮ３において帯電ローラ３の凹部側に機械的に押し付けられる。そのため、これらの場合も、帯電ローラ３の凹部に付着した外添剤をトナーに付着させて感光体２に吐き出す作用が弱くなる。
【００８５】
本発明者が鋭意検討した結果、以下に試験結果を示すように、上記関係を表す指標としては、次のものを好適に用いることが分かった。
【００８６】
まず、感光体２の凹部の径の指標としては、前述した開口部最長径Ｄの場合と同様に定義される凹部の開口部を横切る線分のうち、最も短い線分の長さ（開口部最短径）Ｅを好適に用い得る。具体的には、開口部最短径Ｅは、図１２に示すように、開口部の端部に接する平行な２本の直線で凹部を挟んだ際に、該２本の直線間距離が最小となるときの長さを示す。なお、図１２は、図６と同様に、感光体３の凹部の開口部の形状（凹部を真上から見たときの形状）の例を示している。凹部が略円形の場合は、この凹部の径（開口部最短径Ｅ）と開口部最長径Ｄとは、実質的に同じである。ここで、本実施例では、感光体２の表面に形成される複数の凹部は実質的にその全部が前述の特定凹部であり、深さや開口部最長径が特定凹部の条件を満たさないものは無視できる程度である。ただし、前述の特定凹部の条件を満たさない凹部が無視できない程度にある場合には、それらの凹部についても上述の関係を満たすようにすればよい。なお、感光体２の凹部の径は、複数の凹部間で異なる径を有する場合は、全体の平均で代表することができる。つまり、感光体２の凹部の径の指標としては、感光体２上のトナー像を形成することが可能な領域である画像形成可能領域における上述のような凹部の径（開口部最短径）の平均値を用いる。この平均値は、感光体２の画像形成可能領域の全域における全ての凹部の径の平均値を求めてもよいが、許容し得る精度にて画像形成可能領域における平均値を代表し得る、感光体２上の所定の範囲について求めたものであってよい。例えば、感光体２の画像形成可能領域の中の任意の２ｃｍ×２ｃｍの領域における凹部の径の平均値を求めて用いることができる。感光体２の凹部の径の指標として開口部最短径Ｅを用いることで、上述のような帯電ローラ３の凹部と感光体２の凹部との隙間でのトナーの移動を可能とする凹部の径を表し得るものと考えられる。
【００８７】
また、トナーの粒子径の指標としては、トナーの体積分布基準の粒度分布における大きい方から所定の累積％に相当する粒子径を好適に用いる。これにより、より多くのトナーが上述のような外添剤を捕捉して感光体２側に移動する作用に寄与できるようにする感光体２の凹部の径を表し得るものと考えられる。
【００８８】
また、帯電ローラ３の凹部と感光体２の凹部との対向し易さの指標としては、帯電ローラ３の表面の凹凸の平均間隔Ｓｍ（ＪＩＳ規格（ＪＩＳ−Ｂ０６０１：１９９４））を好適に用い得る。このような指標を用いることにより、帯電ローラ３の凹部に感光体２の凹部をより対向し易くして上述のような帯電ローラ３の凹部と感光体２の凹部との隙間でのトナーの移動を行わせやすくする感光体２の凹部の径を表し得るものと考えられる。
【００８９】
また、感光体２の凹部の深さと帯電ローラ３の凹部の深さとの和の指標としては、前述した感光体２の凹部の深さＨと帯電ローラ３の表面の十点平均粗さＲｚ（ＪＩＳ規格（ＪＩＳ−Ｂ０６０１：１９９４））との和を好適に用い得る。なお、感光体２の凹部の深さの指標としては、感光体２上のトナー像を形成することが可能な領域である画像形成可能領域における上述のような凹部の深さの平均値を用いる。この平均値は、感光体２の画像形成可能領域の全域における全ての凹部の深さの平均値を求めてもよいが、許容し得る精度にて画像形成可能領域における平均値を代表し得る、感光体２上の所定の範囲について求めたものであってよい。例えば、感光体２の画像形成可能領域の中の任意の２ｃｍ×２ｃｍの領域における凹部の深さの平均値を求めて用いることができる。このような指標を用いることにより、上述のような帯電ローラ３の凹部と感光体２の凹部との間の隙間でのトナーの移動を可能とする、両凹部間の距離を表し得るものと考えられる。
【００９０】
次に、感光体２及び帯電ローラ３の構成を変更して帯電ローラ３の寿命を比較した結果について説明する。
【００９１】
表１に示すように、本実施例に従う具体例１〜４と、本実施例の比較対象としての比較例１〜４とについて帯電ローラ３の寿命確認試験を行った。ここでは、所定の画像を繰り返し形成して、所定の枚数ごとに画像を評価すると共に、帯電ローラ３の凹部を観察して凹部への外添剤の蓄積の程度を確認した。そして、帯電ローラ３の汚染に起因する帯電不良による画像不良（画像濃度ムラなど）の発生が許容し得ない程度となったときの画像形成枚数を帯電ローラ３の寿命とした。
【００９２】
ここで、Ｘを、トナーの体積分布基準での大きい方から累積１０％に相当する粒子径とする。このとき、具体例１〜４は、
感光体の凹部の径の平均値＞Ｘ、
帯電ローラの表面の凹凸の平均間隔Ｓｍ＞Ｘ、かつ、
感光体の凹部の深さの平均値と帯電ローラの表面の十点平均粗さＲｚとの和＞Ｘ
の関係（ここでは「関係１」ともいう。）を満たす。
【００９３】
また、Ｙを、トナーの体積分布基準での大きい方から累積５％に相当する粒子径とする。このとき、特に、具体例２及び３は、
感光体の凹部の径の平均値＞Ｙ、
帯電ローラの表面の凹凸の平均間隔Ｓｍ＞Ｙ、かつ、
感光体の凹部の深さの平均値と帯電ローラの表面の十点平均粗さＲｚとの和＞Ｙ
の関係（ここでは「関係２」ともいう。）を満たす。
【００９４】
これに対して、比較例１〜４は、上記関係１及び２のいずれも満たしていない。
【００９５】
【表１】
2015215520.tif 000006
【００９６】
表１から、具体例１〜４と比較例１〜４とでは、帯電ローラ３の寿命に大きな差が生じていることがわかる。つまり、上記関係１を満たすことで、帯電ローラ３の長寿命化を図ることが可能であることがわかる。また、帯電ローラ３の更なる長寿命化を図るためには、上記関係２を満たすことがより好ましいことがわかる。
【００９７】
これは、次のような理由によるものと考えられる。つまり、帯電ローラ３の凹部に付着した外添剤は、クリーニングブレード６１をすり抜けたトナーに付着（転着）される。そして、上記関係１（より好ましくは関係２）を満たす場合には、図１０に示すように、そのトナーが、表層に外添剤が付着された状態で、帯電ローラ３の凹部と感光体２の凹部との隙間において、電界により感光体２上に吐き出される。そのため、感光体２の凹部によりクリーニングブレード６１をすり抜けたトナーが帯電ローラ３の長手方向に略均一に供給され、そのトナーに帯電ローラ３に付着した汚染物質である外添剤が付着されて再び感光体２上に戻されるという循環状態が形成される。これにより、帯電ローラ３の外添剤による汚染が抑制されて、帯電ローラ３の寿命を飛躍的に延ばすことが可能となる。
【００９８】
以上説明したように、本実施例によれば、凹凸形状を有する感光体２を用いる場合に、帯電ローラ３の長寿命化を図ることができる。
【００９９】
その他の実施例
以上、本発明を具体的な実施例に即して説明したが、本発明は上述の実施例に限定されるものではない。
【０１００】
例えば、上述の実施例では、感光体の表面の凹部は、所定の形状を有する型を感光体の表面に圧接し形状転写を行う方法で形成した。しかし、凹部が形成されるのであれば、その形成方法は特に限定されるものではない。例えば、パルス幅が１００ｎｓ以下である出力特性を有するレーザー照射により、所定の形状の凹部を感光体の表面に形成する方法などが知られている。
【０１０１】
また、本実施例では、画像形成装置は、中間転写方式を採用したタンデム型のものであるとして説明したが、本発明はこれに限定されるものではない。本発明は、タンデム型／１ドラム型、中間転写型／直接転写型の区別無く実施できる。１ドラム型とは、一の感光体に対して複数の現像手段が設けられており、感光体に形成される複数のトナー像を被転写体に順次に重ね合わせるように転写して画像を形成するものである。また、直接転写型とは、中間転写体の代わりに、被転写体としての記録材を担持して搬送する記録材担持体を有し、感光体から記録材担持体上の記録材にトナー像を直接転写するものである。ここで、複数の画像形成部が設けられる場合、画像形成部の数は、上述の実施例のものに限定されるものでない。また、画像形成装置は、カラー画像形成装置に限定されるものではなく、白黒画像形成装置など、画像形成部が単独のものであってもよい。
【０１０２】
また、接触帯電方式には、帯電部材に印加される電圧が、直流電圧のみであるＤＣ帯電方式と、直流電圧と交流電圧とを重畳した電圧であるＡＣ＋ＤＣ帯電方式とがある。ＡＣ＋ＤＣ帯電方式では、感光体の目標帯電電位の直流電圧に対して、直流電圧印加時の帯電開始電圧値の２倍以上のピーク間電圧Ｖｐｐを持つ交流電圧が重畳される。ＡＣ＋ＤＣ帯電方式は、交流電圧による帯電電位の収束効果によって、感光体の帯電電位の均一性を得やすいという利点がある。本実施例では、ＡＣ＋ＤＣ帯電方式を用いたが、ＤＣ帯電方式を用いる場合にも本発明は適用できる。
【符号の説明】
【０１０３】
１          画像形成部
２          感光体
３          帯電ローラ
４          現像装置
６          クリーニング装置
【図１】
2015215520.tif 000007
【図２】
2015215520.tif 000008
【図３】
2015215520.tif 000009
【図４】
2015215520.tif 000010
【図５】
2015215520.tif 000011
【図６】
2015215520.tif 000012
【図７】
2015215520.tif 000013
【図８】
2015215520.tif 000014
【図９】
2015215520.tif 000015
【図１０】
2015215520.tif 000016
【図１１】
2015215520.tif 000017
【図１２】
2015215520.tif 000018